(57)【要約】      （修正有） 【課題】電池の電圧が低下した場合においても支障をきたすことがない楽器用プリアンプおよび電子楽器を提供すること。【解決手段】フォトリレー１３、１４のＬＥＤに発光するために十分な電圧が供給されている場合は、ピックアップ５の出力は、処理回路１２により処理され、出力ジャック７から出力される。一方、電池Ｂ１の電圧が所定の電圧より低下した場合や、電源ボタンにより電源スイッチＳＷ１がオフされた場合は、フォトリレー１３、１４のＬＥＤが点灯しなくなり、その結果フォトリレー１３のリレーはオンになり、フォトリレー１４のリレーはオフになり、ピックアップ５の出力は、フォトリレー１３のリレーを介して直接出力ジャック７に出力される。【選択図】図３
2006208954.tif 000002
【特許請求の範囲】
【請求項１】
電気信号を入力する入力手段と、その入力手段に入力された電気信号を処理する処理回路と、その処理回路により処理された電気信号を外部機器へ出力する出力手段とを備えた楽器用プリアンプにおいて、
前記処理回路に電力を供給する電池と、
その電池の電圧が所定の電圧より低下した場合に、前記処理回路の出力に代えて前記入力手段に入力された電気信号を前記出力手段から出力するように切り替える切替手段とを備えていることを特徴とする楽器用プリアンプ。
【請求項２】
前記所定の電圧は、前記処理回路が正常に動作するほぼ最低の動作電圧であることを特徴する請求項１記載の楽器用プリアンプ。
【請求項３】
電気信号を入力する入力手段と、その入力手段に入力された電気信号を処理する処理回路と、その処理回路により処理された電気信号を外部機器へ出力する出力手段とを備えた楽器用プリアンプにおいて、
前記処理回路に電力を供給する電池と、
前記処理回路の出力に代えて前記入力手段に入力された電気信号を前記出力手段から出力するように切り替えるとともに、前記電池の前記処理回路への電力の供給を停止する単一のスイッチ手段とを備えていることを特徴とする楽器用プリアンプ。
【請求項４】
前記処理回路は、前記入力手段に入力された電気信号の出力レベルを調節するレベル調整手段を備えていることを特徴とする請求項１から３のいずれかに記載の楽器用プリアンプ。
【請求項５】
前記処理回路は、前記入力手段に入力された電気信号に所定の効果を付与する効果付与手段を備えていることを特徴とする請求項１から４のいずれかに記載の楽器用プリアンプ。
【請求項６】
前記処理回路は、前記入力手段に入力された電気信号の周波数特性を変更する周波数特性変更手段を備えていることを特徴とする請求項１から５のいずれかに記載の楽器用プリアンプ。
【請求項７】
複数の弦と、その弦に対向して配置され弦の振動を電気信号に変換するピックアップと、そのピックアップにより変換された電気信号を入力し、その入力された電気信号を処理する処理回路と、その処理回路により処理された電気信号を外部機器へ出力する出力手段とを備えた電気楽器において、
前記処理回路に電力を供給する電池と、
その電池の電圧が所定の電圧より低下した場合に、前記処理回路の出力に代えて前記ピックアップにより変換された電気信号を前記出力手段から出力するように切り替える切替手段とを備えていることを特徴とする電気楽器。
【請求項８】
前記所定の電圧は、前記処理回路が正常に動作するほぼ最低の動作電圧であることを特徴とする請求項７記載の電気楽器。
【請求項９】
複数の弦と、その弦に対向して配置され弦の振動を電気信号に変換するピックアップと、そのピックアップにより変換された電気信号を入力し、その入力された電気信号を処理する処理回路と、その処理回路により処理された電気信号を外部機器へ出力する出力手段とを備えた電気楽器において、
前記処理回路に電力を供給する電池と、
前記処理回路の出力に代えて前記ピックアップにより変換された電気信号を前記出力手段から出力するように切り替えるとともに、前記電池の前記処理回路への電力の供給を停止する単一のスイッチ手段とを備えていることを特徴とする電気楽器。
【請求項１０】
前記処理回路は、前記ピックアップにより変換された電気信号の出力レベルを調節するレベル調整手段を備えていることを特徴とする請求項７から９のいずれかに記載の電気楽器。
【請求項１１】
前記処理回路は、前記ピックアップにより変換された電気信号に所定の効果を付与する効果付与手段を備えていることを特徴とする請求項７から１０のいずれかに記載の電気楽器。
【請求項１２】
前記処理回路は、前記ピックアップにより変換された電気信号の周波数特性を変更する周波数特性変更手段を備えていることを特徴とする請求項７から１１のいずれかに記載の電気楽器。
【発明の詳細な説明】
【技術分野】
【０００１】
本発明は、弦楽器などのピックアップの出力を処理する楽器用プリアンプおよび電気楽器に関する。
【背景技術】
【０００２】
従来より、ギター等の弦楽器のボディに弦振動を検出するピックアップを装着し、そのピックアップの出力レベルを調節するボリュームや、その電気信号を外部へ送信するための接続コードを接続するコネクタなどを有する電気楽器用プリアンプが知られている。このような電気楽器用プリアンプ（エフェクタと呼ばれる場合もある）は、電気楽器に組み込まれたり、単独で使用され、これらの出力は主としてメインアンプあるいはギターアンプなどに接続される。
【０００３】
米国特許ＵＳ５，６９３，８９８号公報（特許文献１）には、アコースティックギターの胴に電池により電力が供給されるプリアンプが組み込まれ、アコースティックギターの弦の振動を増幅したり効果などの音声処理を行うことができ、特に電池が消耗し電圧が低下した場合に、簡単な操作で電池を交換することができる構成が開示されている。
【特許文献１】米国特許ＵＳ５，６９３，８９８号公報
【発明の開示】
【発明が解決しようとする課題】
【０００４】
しかしながら、従来の電気楽器用プリアンプは、電池が消耗し電圧が低下した場合に、音が歪んだり音が出なくなる。特に、演奏中に電池の電圧が低下すると、演奏に支障をきたすという問題点があった。
【０００５】
本発明は、上述した問題点を解決するためになされたものであり、電池の電圧が低下した場合においても支障をきたさない楽器用プリアンプおよび電子楽器を提供することを目的としている。
【課題を解決するための手段】
【０００６】
この目的を達成するために、請求項１記載の楽器用プリアンプは、電気信号を入力する入力手段と、その入力手段に入力された電気信号を処理する処理回路と、その処理回路により処理された電気信号を外部機器へ出力する出力手段とを備えたものであって、前記処理回路に電力を供給する電池と、その電池の電圧が所定の電圧より低下した場合に、前記処理回路の出力に代えて前記入力手段に入力された電気信号を前記出力手段から出力するように切り替える切替手段とを備えている。
【０００７】
請求項２記載の楽器用プリアンプは、請求項１記載のプリアンプにおいて、前記所定の電圧は、前記処理回路が正常に動作するほぼ最低の動作電圧に設定されているものである。
【０００８】
請求項３記載の楽器用プリアンプは、電気信号を入力する入力手段と、その入力手段に入力された電気信号を処理する処理回路と、その処理回路により処理された電気信号を外部機器へ出力する出力手段とを備えたものであって、前記処理回路に電力を供給する電池と、前記処理回路の出力に代えて前記入力手段に入力された電気信号を前記出力手段から出力するように切り替えるとともに、前記電池の前記処理回路への電力の供給を停止するスイッチ手段とを備えている。
【０００９】
請求項４記載の楽器用プリアンプは、請求項１から３のいずれかに記載の楽器用プリアンプにおいて、前記処理回路は、前記入力手段に入力された電気信号の出力レベルを調節するレベル調整手段を備えている。
【００１０】
請求項５記載の楽器用プリアンプは、請求項１から４のいずれかに記載の楽器用プリアンプにおいて、前記処理回路は、前記入力手段に入力された電気信号に効果を付与する効果付与手段を備えている。
【００１１】
請求項６記載の楽器用プリアンプは、請求項１から５のいずれかに記載の楽器用プリアンプにおいて、前記処理回路は、前記入力手段に入力された電気信号の周波数特性を変更する周波数特性変更手段を備えている。
【００１２】
請求項７記載の電気楽器は、複数の弦と、その弦に対向して配置され弦の振動を電気信号に変換するピックアップと、そのピックアップにより変換された電気信号を入力し、その入力された電気信号を処理する処理回路と、その処理回路により処理された電気信号を外部機器へ出力する出力手段とを備えたものであって、前記処理回路に電力を供給する電池と、その電池の電圧が所定の電圧より低下した場合に、前記処理回路の出力に代えて前記ピックアップにより変換された電気信号を前記出力手段から出力するように切り替える切替手段とを備えている。
【００１３】
請求項８記載の電気楽器は、請求項７記載の電気楽器において、前記所定の電圧は、前記処理回路が正常に動作するほぼ最低の動作電圧に設定されているものである。
【００１４】
請求項９記載の電気楽器は、複数の弦と、その弦に対向して配置され弦の振動を電気信号に変換するピックアップと、そのピックアップにより変換された電気信号を入力し、その入力された電気信号を処理する処理回路と、その処理回路により処理された電気信号を外部機器へ出力する出力手段とを備えたものであって、前記処理回路に電力を供給する電池と、前記処理回路の出力に代えて前記ピックアップにより変換された電気信号を前記出力手段から出力するように切り替えるとともに、前記電池の前記処理回路への電力の供給を停止するスイッチ手段とを備えている。
【００１５】
請求項１０に記載の電気楽器は、請求項７から９のいずれかに記載の電気楽器において、前記処理回路は、前記ピックアップにより変換された電気信号の出力レベルを調節するレベル調整手段を備えている。
【００１６】
請求項１１記載の電気楽器は、請求項７から１０のいずれかに記載の電気楽器において、前記処理回路は、前記ピックアップにより変換された電気信号に所定の効果を付与する効果付与手段を備えている。
【００１７】
請求項１２記載の電気楽器は、請求項７から１１のいずれかに記載の電気楽器において、前記処理回路は、前記ピックアップにより変換された電気信号の周波数特性を変更する周波数特性変更手段を備えている。
【発明の効果】
【００１８】
請求項１記載の楽器用プリアンプによれば、処理回路に電力を供給する電池と、その電池の電圧が所定の電圧より低下した場合に、処理回路の出力に代えて入力手段に入力された電気信号を出力手段から出力するように切り替える切替手段とを備えているので、電池が消耗して処理回路から正常な出力が得られない場合にも、入力手段に入力されている電気信号が出力される。よって、演奏中に、電池が消耗した場合でも、出力される電気信号が歪んだり、出力されなくなるなどの支障をきたすことを防止することができるという効果がある。
【００１９】
請求項３記載の楽器用プリアンプによれば、処理回路に電力を供給する電池と、処理回路の出力に代えて入力手段に入力された電気信号を前記出力手段から出力するように切り替えるとともに、電池の前記処理回路への電力の供給を停止する単一のスイッチ手段とを備えているので、電池の電力が処理回路に供給され、処理回路により処理された電気信号を出力する場合と、電池の電力が処理回路に供給されず、入力手段に入力された電気信号を直接出力する場合とを一つのスイッチで切替えることができ、操作性が良い。また、入力手段に入力された電気信号を直接出力する場合には、電池が消耗されないという効果がある。
【００２０】
請求項７記載の電気楽器によれば、処理回路に電力を供給する電池と、その電池の電圧が所定の電圧より低下した場合に、処理回路の出力に代えてピックアップにより変換された電気信号を前記出力手段から出力するように切り替える切替手段とを備えているので、電池が消耗して処理回路から正常な出力が得られない場合にも、入力手段に入力されている電気信号が出力される。よって、演奏中に、電池が消耗した場合でも、出力される電気信号が歪んだり、出力されなくなるなどの支障をきたすことを防止することができるという効果がある。
【００２１】
請求項２記載の楽器用プリアンプまたは請求項８記載の電気楽器によれば、請求項１記載のプリアンプまたは請求項７記載の電気楽器の奏する効果に加え、所定の電圧は、処理回路が正常に動作するほぼ最低の動作電圧に設定されているので、処理回路から出力手段に出力される場合には、処理回路において正常に処理された出力が得られるとともに、電池の電圧が処理回路が正常に動作する最低の電圧より低い場合に、処理回路の出力に代えて入力手段に入力された電気信号を出力手段から出力するように切り替えることを防止することができるという効果がある。
【００２２】
請求項９記載の電気楽器によれば、処理回路に電力を供給する電池と、処理回路の出力に代えてピックアップにより変換された電気信号を出力手段から出力するように切り替えるとともに、電池の処理回路への電力の供給を停止するスイッチ手段とを備えているので、電池の電力が処理回路に供給され、処理回路により処理された電気信号を出力する場合と、電池の電力が処理回路に供給されず、入力手段に入力された電気信号を直接出力する場合とを一つのスイッチで切替えることができ、操作性が良い。また、入力手段に入力された電気信号を直接出力する場合には、電池が消耗されないという効果がある。
【００２３】
請求項４記載の楽器用プリアンプまたは請求項１０記載の電気楽器によれば、請求項１から３のいずれかに記載の楽器用プリアンプまたは請求項７から９のいずれかに記載の電気楽器の奏する効果に加え、処理回路は、入力手段に入力された電気信号またはピックアップにより変換された電気信号の出力レベルを調節するレベル調整手段を備えているので、処理回路の出力レベルを調節できるという効果がある。
【００２４】
請求項５記載の楽器用プリアンプまたは請求項１１記載の電気楽器によれば、請求項１から４のいずれかに記載の楽器用プリアンプまたは請求項７から１０のいずれかに記載の電気楽器の奏する効果に加え、処理回路は、入力手段に入力された電気信号またはピックアップにより変換された電気信号に所定の効果を付与する効果付与手段を備えているので、入力手段に入力された電気信号に所定の効果を付与することができるという効果がある。
【００２５】
請求項６記載の楽器用プリアンプまたは請求項１２記載の電気楽器によれば、請求項１から５のいずれかに記載の楽器用プリアンプまたは請求項７から１１のいずれかに記載の電気楽器の奏する効果に加え、処理回路は、入力手段に入力された電気信号またはピックアップにより変換された電気信号の周波数特性を変更する周波数特性変更手段を備えているので、入力手段に入力された電気信号の周波数特性を変更することができるという効果がある。
【発明を実施するための最良の形態】
【００２６】
以下、本発明の好ましい実施形態について、添付図面を参照して説明する。図１は、本発明の楽器用プリアンプ２を組み込んだアコースティックギター１を示す斜視図である。図１に示すように、アコースティックギター１は、弦の振動に共鳴する空間を形成する胴６と、その胴６に組み込まれた楽器用プリアンプ２と、その楽器用プリアンプ２に電力を供給する電池Ｂ１（図３参照）を収納する電池ケース３と、６本の弦の一端を固定するブリッジ４と、そのブリッジ４に形成され、各弦の振動を電気信号に変換するピックアップ５と、そのピックアップにより変換された電気信号、または楽器用プリアンプ２により処理された電気信号を出力する出力ジャック７と、弦を所定の位置で押さえるための指板を有するネック８が備えられている。ネック８の図示しない他端には、糸巻きが形成され、各弦に張力を付与するように形成されている。
【００２７】
電池ケース３は、市販の乾電池などを複数個着脱自在に装着可能に形成され、開閉することができる蓋が取付られている。ピックアップ５は、圧電素子を利用した圧電ピックアップが用いられる。出力ジャック７には、プラグ９が着脱自在に装着され、プラグ９に接続される接続コード１０により電気信号は、図示しないギターアンプなどに出力される。
【００２８】
次に、図２を参照して楽器用プリアンプ２の操作パネル２７について説明する。図２は、楽器用プリアンプ２の操作パネル２７を示す平面図である。この楽器用プリアンプ２には、後述する音声を処理する処理回路１２（図３参照）を有し、入力された音声のピッチを検出するチューナ機能や、周波数特性を変換するイコライザ機能や、残響などの効果を付与する効果付与機能が備えられている。
【００２９】
操作パネル２７には、液晶により形成される表示器３０と、回転することによりパラメータを調整するボディツマミ３５と、アンビエンスツマミ３６と、ボリュームツマミ３７と、オンオフの切替を指示するアンチフィードバックボタン３８と、４つのカーソルボタン３９と、その４つのカーソルスイッチの中央に位置するセンターボタン４０と、チューナボタン４１と、電源ボタン４２と、テンポボタン４３とが備えられている。
【００３０】
表示器３０は、チューナボタン４１によりチューナの機能がオンされた場合に、入力される音声のピッチが検出され、そのピッチに対応する音名を表示する音名表示部３１と、その表示された音名の音高に対し検出されたピッチとのずれを表示するピッチ表示部３２と、３つの周波数帯域のレベルを表示するイコライザ表示部３３と、入力される音声のレベルを表示するレベル表示部３４とを有する。
【００３１】
ボディツマミ３５は、効果付与機能の一つであるギターの胴の共鳴を模擬する効果において、共鳴の強度を調整するものである。このツマミを右に回すほど共鳴の強度が大きくなり、左端（PIEZOと示す位置）では、全く共鳴が付与されない音声が出力される。
【００３２】
アンビエンスツマミ３６は、残響音の量を調整するツマミであり、ボリュームツマミ３７は、この楽器用プリアンプ２の出力レベルを調整するツマミである。
【００３３】
カーソルボタン３９およびセンターボタン４０は、設定されている機能により、設定できるパラメータの種類が変化するもので、カーソルボタン３９は、上側に配置されたボタン３９ａと、左側に配置されたボタン３９ｂと、下側に配置されたボタン３９ｃと、右側に配置されたボタン３９ｄとにより構成されている。
【００３４】
アンチフィードバックボタン３８は、ハウリングを防止する機能をオンオフするもので、オンされている場合は、ハウリングを起こす周波数を検出し、その周波数のレベルを下げるように機能する。チューナボタン４１は、チューナ機能のオンオフを切り替えるもので、２秒以上押し続けると、基準ピッチの可変状態に設定することができる。基準ピッチの可変状態に設定された場合は、４つのカーソルボタンのうち、カーソルボタン３９ａまたは３９ｂにより基準ピッチを高く、カーソルボタン３９ｃまたは３９ｄにより基準ピッチを低く変更することができる。
【００３５】
テンポボタン４３は、テンポの表示および発生をオンオフするもので、オンに設定された場合は、表示器３０の表示が図示しないテンポ表示画面に切り替わり、テンポに合わせて表示が変化するとともに、圧電素子を駆動して、テンポを報知する楽音を発生する。テンポの値は、１０種類記憶され、カーソルボタン３９ｂまたは３９ｄを操作することによりいずれかを選択することができる。
【００３６】
また、カーソルボタン３９ａを操作することによりテンポを速く、カーソルボタン３９ｃを操作することによりテンポを遅く変更することができる。また、センターボタン４０をテンポに対応する時間間隔で操作することにより、テンポの値を設定することができる。
【００３７】
チューナ機能やテンポ機能がオンに設定されていない場合は、センターボタン４０は、イコライザのオンオフを設定することができ、イコライザの機能をオンに設定すると、カーソルボタン３９ｂまたは３９ｄにより、表示器３０に表示されているイコライザ部３３の３つの周波数帯域のいずれかを選択し、その選択した周波数帯域のレベルをカーソルボタン３９ａにより高く、３９ｃにより低く設定することができる。電源ボタン４２は、処理回路１２に電池Ｂ１の電力を供給するか否かをオンオフするスイッチであり、押下するとオンの状態でロックされ、再度押下するとオフの状態に復帰する。
【００３８】
次に、図３を参照して楽器用プリアンプ２の電気回路構成について説明する。図３は、楽器用プリアンプ２の電気回路構成を示す回路図である。楽器用プリアンプ２の電気回路は、出力ジャック７と、電池Ｂ１と、電源スイッチＳＷ１と、ツェナーダイオードＺＤ１と、抵抗Ｒ１と、フォトリレー１３、１４と、処理回路１２と、ピックアップ５とにより構成されている。
【００３９】
出力ジャック７には、楽器用プリアンプ２の出力が接続される端子ａと、電池Ｂ１の負極が接続される端子ｂとが備えられている。この出力ジャック７にプラグ９が挿入されると、プラグ９の先端付近に形成されたプラグ入力と端子ａとが接続されるとともに、プラグ９の幹部に形成された導電体の外周が端子ｂに接続されるとともに、出力ジャック７の入口に形成され接地されたリングに接続され、電池Ｂ１の負極は、接地される。
【００４０】
電源スイッチＳＷ１は、電源ボタン４２により操作されるスイッチであり、スイッチの一方の端子が電池Ｂ１の正極に接続され、他方の端子は、処理回路１２の電源入力に接続されるとともに、ツェナーダイオードＺＤ１のカソードに接続されている。ツェナーダイオードＺＤ１のアノードは、抵抗Ｒ１を介してフォトリレー１３を構成するＬＥＤのアノードに接続され、そのＬＥＤのカソードは、フォトリレー１４を構成するＬＥＤのアノードに接続され、そのＬＥＤのカソードは接地されている。
【００４１】
フォトリレー１３は、ノーマリオフ型のフォトリレーであって、そのＬＥＤが点灯している場合は、そのリレーはオフであり、フォトリレー１４は、ノーマリオン型のフォトリレーであって、そのＬＥＤが点灯している場合に、そのリレーはオンである。
【００４２】
従って、電池Ｂ１が十分に充電され、出力ジャック７に、プラグ９が挿入された状態で、電源スイッチＳＷ１がオンされると、フォトリレー１３、１４のＬＥＤに電池Ｂ１の電圧からツェナーダイオードＺＤ１のツェナー電圧を差し引いた電圧が印加され、フォトリレー１３、１４のＬＥＤが点灯し、フォトリレー１３のリレーは、オフとなり、フォトリレー１４のリレーはオンとなる。
【００４３】
また、ツェナーダイオードＺＤ１のツェナー電圧が適切な値のものを選定することにより、処理回路１２が動作するほぼ最低電圧でフォトリレー１３、１４のＬＥＤの点灯と消灯とが切り替わるように設定することができる。
【００４４】
ピックアップ５の一端は、フォトリレー１３のリレーの一端と処理回路１２の入力ＩＮに接続され、ピックアップ５の他端は、接地されている。処理回路１２の接地端子は接地され、その出力ＯＵＴは、フォトリレー１４のリレーの一端に接続されている。フォトリレー１３のリレーの他端とフォトリレー１４のリレーの他端とは互いに接続されるとともに、出力ジャック７の端子ａに接続されている。
【００４５】
よって、フォトリレー１３、１４のＬＥＤに発光するために十分な電圧が供給されている場合は、ピックアップ５の出力は、処理回路１２により処理され、出力ジャック７から出力される。
【００４６】
一方、電池Ｂ１の電圧が所定の電圧（処理回路１２が正常に動作するほぼ最低電圧）より低下した場合や、電源ボタン４２により電源スイッチＳＷ１がオフされた場合は、フォトリレー１３、１４のＬＥＤが点灯しなくなり、その結果フォトリレー１３のリレーはオンになり、フォトリレー１４のリレーはオフになり、ピックアップ５の出力は、フォトリレー１３のリレーを介して直接出力ジャック７に出力される。
【００４７】
次に図４を参照して処理回路１２について説明する。図４は、処理回路１２の電気回路構成を示すブロック図である。処理回路１２は、Ａ／Ｄ変換器２１と、ＤＳＰ２２と、Ｄ／Ａ変換器２３と、ＣＰＵ２４と、ＲＯＭ２５と、ＲＡＭ２６と、操作パネル２７とにより構成されている。
【００４８】
Ａ／Ｄ変換器２１は、入力ＩＮに入力されるピックアップ５により弦の振動が変換されたアナログ電気信号をデジタル信号であるＰＣＭ信号に変換するもので、変換されたＰＣＭ信号は、ＤＳＰ２２に入力される。ＤＳＰ２２は、デジタルシグナルプロセッサであり、図示しないメモリに制御プログラムが記憶され、その制御プログラムを実行することにより、入力された音声に胴の共鳴音や残響音を付加したり、入力された音声の周波数特性を変更したり、アンチフィードバックボタン３８がオンされている場合は、ハウリングを起こす周波数を検出し、その周波数のレベルを下げる等の処理を行うものである。ＤＳＰ２２により処理された音声は、Ｄ／Ａ変換器２３によりアナログ信号に変換されて出力ＯＵＴから出力される。
【００４９】
ＣＰＵ２４は、マイクロコンピュータでありＲＯＭ２５に記憶されるプログラムを実行し、操作パネル２７に備えられているボリュームやスイッチなどの操作状態を検出し、その操作状態に応じて各種の処理を行う。ＲＡＭ２６は、ＣＰＵ２４が、プログラムを実行する際に、各種のデータ等を一時的に記憶するためのメモリである。
【００５０】
以上説明したように、電池Ｂ１により電力が供給される楽器用プリアンプ１において、電池Ｂ１の電圧が正常な場合は、フォトリレー１３は、オフ、フォトリレー１４は、オンであるので、処理回路１２の出力が出力ジャックに接続される。一方、電池Ｂ１が消耗して電圧が所定の電圧より低下した場合は、ツェナーダイオードＺＤ１の働きにより、フォトリレー１３、１４のＬＥＤには、ほとんど電流が流れなくなり、フォトリレー１３は、オフからオンに変化し、フォトリレー１４は、オンからオフに変化するので、フォトリレー１３のリレーに接続されるピックアップ５の出力が直接出力ジャック７に接続され、フォトリレー１４のリレーに接続される処理回路１２の出力は、遮断される。したがって、電池Ｂ１が消耗して処理回路１２から正常な出力が得られない場合には、ピックアップ５の電気信号が出力される。よって、演奏中に、電池Ｂ１が消耗した場合でも、出力される電気信号が歪んだり、出力されなくなるなどの支障をきたすことがない。
【００５１】
また、電源ボタン４２を操作して電源スイッチＳＷ１をオフにし、処理回路１２へ供給される電力をオフにした場合には、同様にフォトリレー１３は、オフからオンに変化し、フォトリレー１４は、オンからオフに変化するので、フォトリレー１３のリレーに接続されるピックアップ５の出力が直接出力ジャック７に接続され、フォトリレー１４のリレーに接続される処理回路１２の出力は、遮断される。したがって、電池Ｂ１が消耗されないとともに、ピックアップ５の出力が出力ジャック７から出力される。
【００５２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００５３】
例えば、本実施形態では、フォトリレー１３、１４に変えて、電流によりオンオフを切替えることができるコイル式のリレーを使用してもよい。
【００５４】
また、上記実施形態では、楽器用プリアンプ２は、アコースティックギター１に組み付けられているものとしたが、電気楽器に組み込まれない単独のものとしてもよい。
【００５５】
また、上記実施形態では、楽器用プリアンプという名称としたが、いわゆるエフェクタあるいは電気ギター用エフェクタ、電気ベース用エフェクタと呼ばれるものでもよい。
【００５６】
また、上記実施形態では、ピックアップ５は、圧電式のものとしたが、シングルコイルや、ハムバッキング、あるいは通常のマイクロフォンとしてもよい。
【図面の簡単な説明】
【００５７】
【図１】本発明の楽器用プリアンプを搭載したアコースティックギターを示す斜視図である。
【図２】楽器用プリアンプの操作パネルを示す平面図である。
【図３】楽器用プリアンプの電気的構成を示す回路図である。
【図４】楽器用プリアンプに搭載される処理回路の構成を示すブロック図である。
【符号の説明】
【００５８】
１                        アコースティックギター
２                        楽器用プリアンプ
５                        ピックアップ
７                        出力ジャック（出力手段）
１２                      処理回路
１３                      フォトリレー
１４                      フォトリレー
３７                      ボリュームツマミ
ＳＷ１                    電源スイッチ
Ｂ１                      電池
【図１】
2006208954.tif 000003
【図２】
2006208954.tif 000004
【図３】
2006208954.tif 000005
【図４】
2006208954.tif 000006